(57)【要約】【課題】浴槽残湯からのより有効な熱回収を可能とする給湯装置を提供する。【解決手段】給湯装置において、ユーザーが操作盤６１に対して風呂熱回収運転を行わせるための実行信号を入力可能とする入力部として風呂自動スイッチ６２を設けている。制御装置６０は、ユーザーによって風呂自動スイッチ６２で実行信号が入力されると、風呂保温運転を終了した後、風呂熱回収運転を実行するようにしている。  これにより、ユーザーによって風呂自動スイッチ６２にて風呂熱回収運転を実行するための実行信号が入力されることで、ユーザーの意思を反映した風呂熱回収運転が可能となる。また、風呂保温運転終了後に風呂熱回収運転を実行するようにしているので、浴槽３０内の浴槽温水の温度が無駄に低下してしまうことを防止して、有効な熱回収が可能となる。【選択図】図１
2010117054.tif 000002
【特許請求の範囲】
【請求項１】
補充される給湯水を下方部に貯めると共に、前記給湯水が加熱手段（２０）によって高温湯として生成され、この高温湯を貯める蓄熱タンク（１０）と、
前記蓄熱タンク（１０）から流出されてユーザーが設定する設定温度に温調された温調湯を貯める浴槽（３０）と、
浴槽温水を前記高温湯によって加熱する加熱用熱交換器（４０、８０）と、
前記浴槽温水の熱を前記蓄熱タンク（１０）下部に前記給湯水が補充された低温湯に回収して前記低温湯を加熱する熱回収用熱交換器（５０、８０）と、
前記浴槽（３０）に貯められた前記浴槽温水の温度を、ユーザーが設定する設定時間の間、前記加熱用熱交換器（４０、８０）を用いて前記設定温度に保持する風呂保温運転と、前記低温湯を前記浴槽温水および前記熱回収用熱交換器（５０、８０）を用いて加熱する風呂熱回収運転とを実行する制御手段（６０、６１）とを備える給湯装置において、
前記ユーザーが前記制御手段（６０、６１）に対して前記風呂熱回収運転を行わせるための実行信号を入力可能とする入力部（６２）を設け、
前記制御手段（６０、６１）は、前記ユーザーによって前記入力部（６２）に前記実行信号が入力されると、前記風呂保温運転を終了した後、前記風呂熱回収運転を実行することを特徴とする給湯装置。
【請求項２】
前記浴槽温水が前記浴槽（３０）から前記熱回収用熱交換器（５０）を通り再び前記浴槽（３０）に戻るように循環する熱回収用循環路（５１、５２）と、
前記熱回収用循環路（５１、５２）において前記熱回収用熱交換器（５０）をバイパスするバイパス通路（５４）と、
前記熱回収用循環路（５１、５２）と前記バイパス通路（５４）との分岐点に配設されて、前記浴槽温水の流れを前記熱回収用熱交換器（５０）側、あるいは前記バイパス通路（５４）側に切り替える切替手段（５５）と、
前記熱回収用循環路（５１、５２）において前記バイパス通路（５４）を含む前記浴槽（３０）側に配設されて前記浴槽温水の温度を検出する浴槽温水検出手段（７２）とを備えており、
前記制御手段（６０、６１）は、前記浴槽温水検出手段（７２）による前記浴槽温水の温度検出をする際に、前記切替手段（５５）を操作して、前記浴槽温水が前記バイパス通路（５４）側を流れるようにすることを特徴とする請求項１に記載の給湯装置。
【請求項３】
前記制御手段（６０、６１）は、計時用の計時手段（Ｓ１９）を備えると共に、
前記風呂保温運転が終了した後で予め定められた所定時間を前記計時手段（Ｓ１９）によって計時した後で、前記風呂熱回収運転を実行することを特徴とする請求項１または請求項２に記載の給湯装置。
【請求項４】
前記ユーザーに対して、前記制御手段（６０、６１）が実行する前記風呂熱回収運転に関連する表示を行う表示手段（６３）を備えることを特徴とする請求項１乃至請求項３のいずれか１つに記載の給湯装置。
【請求項５】
前記表示手段（６３）が、風呂熱回収のスタンバイ状態と運転状態とで表示方法を変化させることを特徴とする請求項１乃至請求項４のいずれか１つに記載の給湯装置。
【請求項６】
前記制御手段（６０、６１）には、前記温調湯を前記浴槽（３０）内に貯める湯張り運転と前記風呂熱回収運転とを連続的に作動させるための風呂自動スイッチ（６２）が設けられていることを特徴とする請求項１乃至請求項５のいずれか１つに記載の給湯装置。
【請求項７】
前記風呂熱回収運転の実行信号を入力する風呂熱回収スイッチ（６４）を設け、前記風呂自動スイッチ（６２）がＯＮ状態の時に前記風呂熱回収スイッチ（６４）をＯＦＦすると、前記風呂熱回収運転を行わずに前記湯張り運転のみが実行され、前記湯張り運転がＯＦＦ状態の場合に前記風呂熱回収スイッチ（６４）をＯＮすると、前記風呂熱回収運転が実行されることを特徴とする請求項1乃至請求項６のいずれか１つに記載の給湯装置。
【発明の詳細な説明】
【技術分野】
【０００１】
本発明は、加熱した湯を貯める蓄熱タンクを備え、自動で蓄熱タンクから浴槽への湯張り、湯張り状態保持、さらには浴槽残湯による蓄熱タンクへの熱回収を可能とする給湯装置に関するものである。
【背景技術】
【０００２】
従来の給湯装置として、例えば特許文献１に示されるように、加熱手段によって加熱した湯を蓄熱タンク内に貯めて、この湯を浴槽に給湯する給湯運転（湯張り）を行うと共に、浴槽の湯が冷めると蓄熱タンク内の上部の高温湯によって浴槽湯を加熱する浴槽加熱運転を行い、さらに、浴槽残湯によって蓄熱タンク内の下部の水を加熱させて、浴槽残湯の熱を蓄熱タンクの水に回収する風呂熱回収運転を行うものが知られている。
【特許文献１】特開２００２−１９５６５１号公報
【発明の開示】
【発明が解決しようとする課題】
【０００３】
しかしながら、上記特許文献１の技術においての風呂熱回収運転は、「入浴が済み浴槽内に不要となった湯が残っている場合」の運転である旨が記載されているのみで、詳細なタイミング、運転条件等の記載は一切ない。例えば、複数のユーザーが入浴する場合にて、最後のユーザーの入浴時間が遅れたりした場合には、浴槽の湯が冷めてしまう。
【０００４】
また、最後のユーザーが風呂熱回収の実行を指示して行うことも考えられるが、いずれにしても使い勝手上問題があった。また、使い勝手を向上させるために、ユーザーが必ず入浴が終了する時間帯（例えば、朝方の４時頃）に風呂熱回収を実行するようにした場合、浴槽の湯温が低下してしまい、有効な熱回収ができるものとは言えなかった。
【０００５】
本発明の目的は、上記問題に鑑み、浴槽残湯からのより有効な熱回収を可能とする給湯装置を提供することにある。
【課題を解決するための手段】
【０００６】
本発明は上記目的を達成するために、以下の技術的手段を採用する。
【０００７】
請求項１に記載の発明では、補充される給湯水を下方部に貯めると共に、給湯水が加熱手段（２０）によって高温湯として生成され、この高温湯を貯める蓄熱タンク（１０）と、蓄熱タンク（１０）から流出されてユーザーが設定する設定温度に温調された温調湯を貯める浴槽（３０）と、浴槽温水を高温湯によって加熱する加熱用熱交換器（４０、８０）と、浴槽温水の熱を蓄熱タンク（１０）下部に給湯水が補充された低温湯に回収して低温湯を加熱する熱回収用熱交換器（５０、８０）と、浴槽（３０）に貯められた前記浴槽温水の温度を、ユーザーが設定する設定時間の間、加熱用熱交換器（４０、８０）を用いて設定温度に保持する風呂保温運転と、低温湯を浴槽温水および熱回収用熱交換器（５０、８０）を用いて加熱する風呂熱回収運転とを実行する制御手段（６０、６１）とを備える給湯装置において、
ユーザーが制御手段（６０、６１）に対して風呂熱回収運転を行わせるための実行信号を入力可能とする入力部（６２）を設け、制御手段（６０、６１）は、ユーザーによって入力部（６２）に実行信号が入力されると、風呂保温運転を終了した後、風呂熱回収運転を実行することを特徴としている。
【０００８】
これにより、ユーザーによって入力部（６２）に風呂熱回収運転を実行するための実行信号が入力されることで、ユーザーの意思を反映した風呂熱回収運転が可能となる。また、風呂保温運転終了後に風呂熱回収運転を実行するようにしているので、浴槽（３０）内の浴槽温水の温度が無駄に低下してしまうことを防止して、有効な熱回収が可能となる。
【０００９】
請求項２に記載の発明では、浴槽温水が浴槽（３０）から熱回収用熱交換器（５０）を通り再び浴槽（３０）に戻るように循環する熱回収用循環路（５１、５２）と、熱回収用循環路（５１、５２）において熱回収用熱交換器（５０）をバイパスするバイパス通路（５４）と、熱回収用循環路（５１、５２）とバイパス通路（５４）との分岐点に配設されて、浴槽温水の流れを熱回収用熱交換器（５０）側、あるいはバイパス通路（５４）側に切り替える切替手段（５５）と、熱回収用循環路（５１、５２）においてバイパス通路（５４）を含む浴槽（３０）側に配設されて浴槽温水の温度を検出する浴槽温水検出手段（７２）とを備えており、制御手段（６０、６１）は、浴槽温水検出手段（７２）による浴槽温水の温度検出をする際に、切替手段（５５）を操作して、浴槽温水がバイパス通路（５４）側を流れるようにすることを特徴としている。
【００１０】
これにより、浴槽温水を循環させる距離をバイパス通路（５４）によって短くすることができるので、短時間でかつ正確な浴槽温水の温度検出が可能となる。また、浴槽（３０）内の温水が、タンク下部温度よりも低い場合には、蓄熱タンク（１０）からの熱を無駄に浴槽（３０）へ流出することを事前に防止できるため、無駄な熱ロスが発生することがなくなる。
【００１１】
請求項３に記載の発明では、制御手段（６０、６１）は、計時用の計時手段（Ｓ１９）を備えると共に、風呂保温運転が終了した後で予め定められた所定時間を計時手段（Ｓ１９）によって計時した後で、風呂熱回収運転を実行することを特徴としている。これにより、例えば、誤ってユーザーが風呂保温運転を解除してしまっても、保温運転の終了から所定時間の間は、風呂熱回収運転が実行されないので、ユーザーが風呂保温運転の使用中に、浴槽温水の温度が風呂熱回収運転によって低下してしまうことを防止できる。
【００１２】
請求項４に記載の発明では、ユーザーに対して、制御手段（６０、６１）が実行する風呂熱回収運転に関連する表示を行う表示手段（６３）を備えることを特徴としている。これにより、ユーザーは、風呂熱回収運転状態にあることを明確に認識することができる。
【００１３】
請求項５に記載の発明では、表示手段（６３）が、風呂熱回収のスタンバイ状態と運転状態とで表示方法を変化させることを特徴としている。これにより、風呂熱回収スイッチ（６４）のＯＮ状態（スタンバイ状態）と、実際に風呂熱回収運転を行っている状態との表示が異なり、風呂熱回収を操作していることがユーザーに認識できるため、風呂熱回収の誤操作を防止することができる。
【００１４】
請求項６に記載の発明では、制御手段（６０、６１）には、温調湯を浴槽（３０）内に貯める湯張り運転と風呂熱回収運転とを連続的に作動させるための風呂自動スイッチ（６２）が設けられていることを特徴としている。これにより、ユーザーの意思を反映した風呂熱回収運転が可能となる。
【００１５】
請求項７に記載の発明では、風呂熱回収運転の実行信号を入力する風呂熱回収スイッチ（６４）を設け、風呂自動スイッチ（６２）がＯＮ状態の時に風呂熱回収スイッチ（６４）をＯＦＦすると、風呂熱回収運転を行わずに湯張り運転のみが実行され、湯張り運転がＯＦＦ状態の場合に風呂熱回収スイッチ（６４）をＯＮすると、風呂熱回収運転が実行されることを特徴としている。
【００１６】
これにより、さらに風呂熱回収スイッチ（６４）が設けてあることで、風呂自動スイッチ（６２）を操作した後で、風呂熱回収を行わない場合は、風呂熱回収スイッチ（６４）を操作することで風呂熱回収のみキャンセルすることができる。さらに風呂熱回収のみを動作させたい場合には、風呂熱回収スイッチ（６４）を操作すると風呂熱回収が動作するため、毎回風呂熱回収を行うユーザーにとっては、操作を簡略することができ、さらに使い勝手が向上する。なお、上記各手段に付した括弧内の符号は、後述する実施形態記載の具体的手段との対応関係を示す一例である。
【発明を実施するための最良の形態】
【００１７】
（第１実施形態）
以下、本発明の第１実施形態おける給湯装置について、図１および図２を用いて説明する。なお、図１は、ヒートポンプユニット（本発明でいう加熱手段）２０を用いたヒートポンプ式給湯装置１００Ａの全体構成を示す模式図であり、図２は、制御装置（本発明でいう制御手段）６０が行う風呂熱回収運転時の制御処理を示すフローチャートである。
【００１８】
本実施形態のヒートポンプ式給湯装置（以下、給湯装置とする）１００Ａは、一般家庭用として使用されるものであり、ヒートポンプユニット２０によって生成される湯を蓄熱タンク１０内に貯えると共に（沸き上げ運転）、貯えられた湯を、台所、洗面所、風呂などへ供給する（給湯運転、湯張り運転）。さらに、本給湯装置１００Ａは、上記給湯機能の他に、湯張りされた浴槽３０内の浴水の水位や温度を保持すると共に（足し湯運転、保温運転）、入浴後の残湯から蓄熱タンク１０内下部の低温湯への熱回収（風呂熱回収運転）を行う機能も有している。
【００１９】
図１に示すように、給湯装置１００Ａは、蓄熱タンク１０、各種給湯用配管１３Ａ、１３Ｂ、１５、１６、加熱手段としてのヒートポンプユニット２０、浴槽３０、加熱用熱交換器４０、熱回収用熱交換器５０、制御手段６０、６１、湯温検出手段としての各サーミスタ７１、７２などを備えている。
【００２０】
蓄熱タンク１０は、給湯用の湯を貯える容器であって、耐食性に優れた金属（例えば、ステンレス）から成り、外周部には、図示しない断熱材が配置されており、高温の湯を長時間に亘って保温することができるようになっている。また、蓄熱タンク１０は縦長形状であり、その底面に導入口１０ａが設けられ、この導入口１０ａには、蓄熱タンク１０内に給湯水（水道水）を供給する導入用流路としての導入管１１が接続されている。
【００２１】
一方、蓄熱タンク１０の最上部には、導出口１０ｂが設けられ、この導出口１０ｂには、蓄熱タンク１０内に貯えられた高温の湯を導出するための給湯用流路としての高温取出し管１３Ａが接続されている。また、蓄熱タンク１０の縦方向の略中央部に形成された導出口１０ｅには、蓄熱タンク１０内に貯えられた給湯用水のうち、最上部から溜まる高温の湯よりも湯温の低い中温の湯を取出す中温取出し管１３Ｂが接続され、その中温取出し管１３Ｂは下流側で、蓄熱タンク１０上部からの高温取出し管１３Ａと合流している。
【００２２】
そして、高温取出し管１３Ａと中温取出し管１３Ｂとの下流側合流部位には、流量調整弁である高中温混合弁１４Ａが設けられている。この高中温混合弁１４Ａは、その下流側に設けられた給湯用混合弁１４Ｂに流通させる給湯用の湯温を調整する温度調整弁であり、それぞれの開口面積比を調整することで、高温取出し管１３Ａから取出した高温の湯と中温取出し管１３Ｂから取出した中温の湯との混合比を調整するようにしている。
【００２３】
これらの高中温混合弁１４Ａおよび給湯用混合弁１４Ｂは、制御装置６０に電気的に接続されており、各所に配置された図示しないサーミスタで検出される温度情報に基づいて制御される。なお、高中温混合弁１４Ａの下流側に配置された図示しないサーミスタで検出された温度情報が、設定温度より高い所定温度となるように、中温取出し管１３Ｂから取出した中温の湯を積極的に混合させるようにして所定温度に温度調整されるようになっている。
【００２４】
蓄熱タンク１０の下部には、蓄熱タンク１０内の最下部の給湯水を、後述するヒートポンプユニット２０側に吐出するための吐出口１０ｃが設けられている。また、蓄熱タンク１０の上部には、ヒートポンプユニット２０から吐出された湯が内部に流入するための吸入口１０ｄが設けられている。吐出口１０ｃと吸入口１０ｄとは、循環回路２１で接続されており、循環回路２１の一部は、ヒートポンプユニット２０内に配置されている。
【００２５】
蓄熱タンク１０の下側部には、給湯水（低温湯）の温度を検出するためのタンク下部湯温検出手段としてのタンク下部サーミスタ７１が設けられている。タンク下部サーミスタ７１は、検出した蓄熱タンク１０内の給湯水（低温湯）の温度信号を、制御装置６０に出力するようになっている。
【００２６】
ヒートポンプユニット２０は、冷媒として臨界温度の低い二酸化炭素（ＣＯ２）を使用するヒートポンプサイクルと、循環回路２１中に設置された給水ポンプ２２とを備えている。なお、超臨界ヒートポンプによれば、一般的なヒートポンプサイクルよりも高温（例えば、８５〜９０℃程度）の湯を蓄熱タンク１０内に貯えることができる。
【００２７】
ヒートポンプサイクルは、図示しない電動式の圧縮機、水冷媒熱交換器、電気式膨張弁、空気熱交換器、およびアキュムレータが順次冷媒配管によって接続されて構成されており、その作動は、図示しない制御装置によって制御されるようになっている。水冷媒熱交換器は、冷媒が流通する冷媒通路と、給湯水が流通する水通路とを備えており、圧縮機の吐出口より吐出されて冷媒通路を流通する高温、高圧の冷媒により、水通路を流通する給湯水を加熱して湯の沸き上げを行うようになっている。
【００２８】
循環回路２１の吐出口１０ｃとヒートポンプユニット２０（水冷媒熱交換器）との間には、給水ポンプ２２が配設されている。給水ポンプ２２は、内蔵される図示しない電動モータによって回転駆動され、高温湯の沸き上げ運転時に、給湯水を吐出口１０ｃから吐出させて、水冷媒熱交換器内で加熱された湯を蓄熱タンク１０の吸入口１０ｄに還流させるように作動する。
【００２９】
この給水ポンプ２２は、水冷媒熱交換器の出口側水温が、種々の運転条件下において決定される所定の目標沸き上げ温度となるように、図示しない制御装置によって回転数が制御される。導入管１１には、導入口１０ａの手前部から分岐する給水管１２が設けられており、給水管１２の下流端は、給湯用混合弁１４Ｂに繋がれている。なお、導入管１１には、導入される給湯水（水道水）の水圧が所定圧となるように調節すると共に、断水などにおける湯の逆流を防止する減圧逆止弁（図示せず）が設けられている。
【００３０】
高温取出し管１３Ａと給水管１２との下流側合流部位には、給湯用混合弁１４Ｂが設けられている。この給湯用混合弁１４Ｂは、温度調節弁であり、高温側、低温側それぞれの開口面積比を調節して、高温取出し管１３Ａから取出した高温の湯と、給水管１２から供給される給湯水との混合比を調節することで、給湯用混合弁１４Ｂよりも下流側に接続された給湯用配管１５、および風呂用配管１６に流通させる湯の温度を、ユーザーが設定する設定温度に調節する。
【００３１】
給湯用配管１５は、下流端の端末としての給湯水栓（カラン、シャワーなど）へ設定温度に温度調節された湯を導く配管である。また、風呂用配管１６は、下流端が浴槽３０の吐出口３１（アダプタ）に接続されており、浴槽３０内に湯張り、差し湯、足し湯などを行う時に、設定温度に温度調節された湯（温調湯）を導く配管である。図示はしないが、浴槽３０の浴水が給湯用配管１５に逆流しないようなシスターンや、湯張り、差し湯、足し湯を行う際の電磁弁は、この風呂用配管１６内にある。
【００３２】
加熱用熱交換器４０は、浴槽３０内の浴水を蓄熱タンク１０内の高温湯によって加熱する熱交換器であり、蓄熱タンク１０内部の上方部に配設されている。加熱用熱交換器４０には、浴槽３０の吸入口３２（アダプタ）から加熱用熱交換器４０に接続される加熱用行き流路４１と、加熱用熱交換器４０から風呂用配管１６の途中部位（図１中のＡ点）に接続されて吐出口３１に繋がる加熱用戻り流路４２とが設けられている。
【００３３】
熱回収用熱交換器５０は、入浴後の浴槽３０内の浴水の熱を、蓄熱タンク１０内下部の低温湯に回収する、つまり、浴水によって低温湯を加熱する熱交換器であり、蓄熱タンク１０内部の下方部に配設されている。熱回収用熱交換器５０には、吸入口３２から延びる加熱用行き流路４１の途中部位から分岐して熱回収用熱交換器５０に接続される熱回収用行き流路５１と、熱回収用熱交換器５０から加熱用戻り流路４２の途中部位（図１中のＢ点）に接続されて吐出口３１に繋がる熱回収用戻り流路５２とが設けられている。
【００３４】
これら、熱回収用行き流路５１および熱回収用戻り流路５２は、本発明でいう熱回収用循環路である。そして、加熱用行き流路４１における熱回収用行き流路５１の分岐点には、熱交換器切替用の切替バルブ５３が設けられている。切替バルブ５３は、加熱用熱交換器４０側となる加熱用行き流路４１、および熱回収用熱交換器５０側となる熱回収用行き流路５１の切り替えを行うバルブであり、制御装置６０によってバルブ開度が制御されるようになっている。
【００３５】
具体的に、切替バルブ５３は、加熱用行き流路４１を開いて、熱回収用行き流路５１を閉じる加熱モードと、加熱用行き流路４１を閉じて、熱回収用行き流路５１を開く熱回収モードとを切り替えるようになっている。そして、加熱用行き流路４１の途中部位において、吸入口３２と切替バルブ５３との間には、風呂ポンプ４３と風呂用サーミスタ７２とが設けられている。
【００３６】
風呂ポンプ４３は、浴槽３０内の浴水を加熱用熱交換器４０側、あるいは熱回収用熱交換器５０側に圧送する電動ポンプであり、制御装置６０によってその作動が制御されるようになっている。切替バルブ５３が加熱モードに制御されると、加熱用行き流路４１と加熱用戻り流路４２とによって、浴槽３０内の浴水が加熱用熱交換器４０側を循環する加熱用循環路が形成される。
【００３７】
また、切替バルブ５３が熱回収モードに制御されると、加熱用行き流路４１の上流側と、熱回収用行き流路５１と、熱回収用戻り流路５２と、加熱用戻り流路４２の下流側とにより、浴槽３０内の浴水が熱回収用熱交換器５０側を循環する熱回収用循環路が形成される。
【００３８】
加熱用行き流路４１において、風呂ポンプ４３と切替バルブ５３との間には、浴槽温水の温度を検出するための浴槽温水温検出手段としての風呂用サーミスタ７２が設けられている。浴槽３０内の浴水の温度を検出する時は、切替バルブ５３を加熱モード、あるいは熱回収モードに切り替えると共に、風呂ポンプ４３を作動させることで、浴槽３０内の浴水が加熱用循環路、あるいは熱回収用循環路で循環され、風呂用サーミスタ７２により浴水の温度が検出されるようになっている。風呂用サーミスタ７２は、検出した浴槽３０内の浴水の温度信号を、制御装置６０に出力するようになっている。
【００３９】
次に、制御手段は、制御装置６０と操作盤（リモコン）６１とを備えている。制御装置６０は、マイクロコンピュータを主体として構成され、内蔵されたＲＯＭ（図示せず）には、予め設定された制御プログラムが設けられている。そして、各サーミスタ７１、７２からの温度信号、ユーザーが入力する操作盤６１からの操作信号などに基づいて、高中温混合弁１４Ａ、給湯用混合弁１４Ｂ、風呂ポンプ４３、切替バルブ５３を制御するように構成されている。
【００４０】
なお、操作盤６１には、操作スイッチとしての給湯温度設定スイッチ、風呂自動スイッチ６２、湯張り温度設定スイッチ、追い焚きスイッチ、風呂保温時間設定スイッチ、風呂熱回収スイッチ６４など、および表示手段としてのランプ６３などが設けられている。ここで、風呂自動スイッチ（本発明でいう入力部）６２は、浴槽３０内に温調湯を貯める湯張り運転と、設定された風呂保温時間中に風呂の水位や湯張り設定温度に浴水の温度を保つスイッチである。
【００４１】
本実施形態の制御装置６０では、風呂自動スイッチ６２を一度ＯＮ操作することで、湯張り運転と、設定された風呂保温時間中に風呂保温および自動足し湯が行なわれ、風呂保温終了後一定時間経過後に、風呂熱回収運転とが連続的に作動されるように構成されている。風呂熱回収スイッチ６４は、上記した風呂自動運転中にＯＦＦすると、風呂保温終了後に連続した風呂熱回収運転をキャンセルすることができるほか、風呂自動運転中以外のときに風呂熱回収スイッチ６４をＯＮすると、風呂熱回収の運転を開始できるようになっている。
【００４２】
さらに、操作盤６１には、風呂自動に関連する図示しないランプ（表示手段）と、風呂熱回収運転に関連する表示を行う表示手段、即ち風呂熱回収の運転状態を表示するランプ６３とが設けられており、風呂熱回収がスタンバイ状態の時には点灯し、風呂熱回収の運転中には点滅となるようになっている。
【００４３】
例えば、風呂自動スイッチ６２をＯＮ操作すると、風呂自動ランプが表示されるとともに、風呂熱回収のランプ６３も点灯状態となる。そして、保温終了後は風呂自動ランプのみが消灯して風呂熱回収のランプ６３のみが点灯する。さらに、風呂保温終了後の一定時間経過後には、風呂熱回収運転が作動して風呂熱回収のランプ６３は点滅となる。なお、操作盤６１は、浴室内や台所など、湯を使用する場所の近傍に設置され、制御装置６０は、蓄熱タンクユニット内に設置される。
【００４４】
次に、上記構成による給湯装置１００Ａの作動について説明する。
【００４５】
１．沸き上げ運転
ヒートポンプユニット２０の制御装置は、深夜時間帯には安価な深夜電力を用い、ヒートポンプサイクルと給水ポンプ２２の作動指示を出し、蓄熱タンク１０内の下方部の給湯水を循環回路２１に循環させ、ヒートポンプサイクルで加熱して、生成された高温の湯を吸入口１０ｄから蓄熱タンク１０の上方部に貯めてゆく。
【００４６】
２．給湯運転、湯張り運転
昼間の台所や洗面所での湯の使用時、また風呂への湯張り時には、給湯運転、または湯張り運転が実行される。即ち、制御装置６０は、ユーザーが操作盤６１の給湯温度設定スイッチ、湯張り温度設定スイッチから入力設定する設定温度と一致するように、まず、蓄熱タンク１０の高温取出し管１３Ａと中温取出し管１３Ｂとの合流部に設けられた高中温混合弁１４Ａで設定温度以上の湯温に混合する。
【００４７】
次に、給湯用混合弁１４Ｂの弁開度を調節して、高中温混合弁１４Ａからの温水と給水管１２から供給される水道水とを混合して温度調節した湯（温調湯）として供給する。給湯運転では、給湯水栓を開弁することによって実行され、湯張り運転では、操作盤６１の風呂自動スイッチ６２をＯＮ操作することにより実行される。
【００４８】
３．風呂自動運転
制御装置６０は、浴槽３０内の浴水の温度低下に対しては、湯張り運転後の風呂保温時間設定範囲（ユーザーが設定する時間であり、例えば４時間）において、浴水の温度を設定温度に保持する風呂保温運転を実施する。即ち、制御装置６０は、切替バルブ５３を操作して、加熱用行き流路４１と熱回収用行き流路５１のうち加熱用行き流路４１側を開き、風呂ポンプ４３を作動させて加熱用循環路に浴水を循環させる。
【００４９】
そして、風呂用サーミスタ７２が検出する浴水の温度が設定温度より低い場合、制御装置６０は、風呂ポンプ４３を継続作動させ、加熱用熱交換器４０によって浴水を加熱する。さらに、風呂用サーミスタ７２が検出する浴水の温度が設定温度になると、制御装置６０は風呂ポンプ４３を停止させる。
【００５０】
４．風呂熱回収運転
ユーザーが入浴した後、つまりユーザーが設定した風呂保温時間が終了した後、制御装置６０は、浴槽３０内の浴水（残湯）を活用して蓄熱タンク１０への熱回収を行う。本実施形態においては、この風呂熱回収運転の制御要領に特徴を持たせており、以下、図２のフローチャートを用いて詳細に説明する。
【００５１】
制御装置６０は、まずステップＳ１１で、ユーザーによる風呂自動要求の入力、即ち風呂自動スイッチ６２がＯＮされているか否かを判定する。この判定結果がＮＯで自動要求がない場合はステップＳ１２へ進み、判定結果がＹＥＳで自動要求の場合はステップＳ１３へ進んで風呂自動運転を実行する。
【００５２】
ステップＳ１２では、ユーザーによる風呂熱回収要求の入力、即ち風呂熱回収スイッチ６４がＯＮされているか否かを判定する。この判定結果がＮＯで風呂熱回収しない場合は、ステップＳ１１に戻ってステップＳ１１、Ｓ１２の判定を繰り返す。また、判定結果がＹＥＳで風呂熱回収する場合は、ステップＳ２０へ飛んで後述の風呂熱回収運転をすぐに実行するようになっている。
【００５３】
まずは、ステップＳ１３以降の風呂自動運転を説明する。ステップＳ１３では、風呂自動運転中を表すランプと、風呂熱回収が設定されていてスタンバイ状態であることを表すランプ６３とが点灯される。次のステップＳ１４では、ユーザーによる風呂熱回収要求のキャンセル、即ち風呂熱回収スイッチ６４がＯＦＦされていないか否かを判定する。この判定結果がＹＥＳで風呂熱回収がキャンセルされた場合はステップＳ１５へ進み、風呂熱回収のランプ６３を消灯して当フローチャートの作動を終了する。
【００５４】
また、ステップＳ１４での判定結果がＮＯで、風呂熱回収を実行する場合はステップＳ１６へと進む。ステップＳ１６では、風呂自動運転が終了したか否かを判定する。この判定結果がＮＯで風呂自動運転が終了していない場合は、ステップＳ１４に戻ってステップＳ１４とステップＳ１６との判定を繰り返す。この判定を繰り返す中で、風呂熱回収がキャンセルされることなく風呂自動運転が終了したと判定すると、ステップＳ１７へ進んで風呂自動ランプを消灯する。
【００５５】
次のステップＳ１８では、再度ユーザーによる風呂熱回収要求のキャンセル、即ち風呂熱回収スイッチ６４がＯＦＦされていないか否かを判定する。この判定結果がＹＥＳで風呂熱回収がキャンセルされた場合はステップＳ１５へ進み、風呂熱回収のランプ６３を消灯して当フローチャートの作動を終了する。
【００５６】
また、ステップＳ１８での判定結果がＮＯで、風呂熱回収を実行する場合はステップＳ１９へと進む。ステップＳ１９では、風呂自動運転が終了してから所定時間が経過したか否かをタイマーによる計時で判定する。この判定結果がＮＯで所定時間が経過していない場合は、ステップＳ１８に戻ってステップＳ１８とステップＳ１９との判定を繰り返す。この判定を繰り返す中で、風呂熱回収がキャンセルされることなく所定時間が経過したと判定すると、ステップＳ２０へ進んで風呂熱回収を実行する。
【００５７】
ステップＳ２０では、まず操作盤６１における風呂熱回収のランプ６３を、風呂熱回収運転中であることを示す点滅に変え、切替バルブ５３を操作して熱回収用行き流路５１側を開き、風呂ポンプ４３を作動させる。すると、浴槽３０内の浴水は、熱回収用循環路を循環する。
【００５８】
次のステップＳ２１では、タンク下部サーミスタ７１によって検出される蓄熱タンク１０下方部の低温湯の温度と、風呂用サーミスタ７２によって検出される浴水の温度との比較を行い、低温湯温度が浴水温度よりも所定温度α以上低いと判定される（ステップＳ２１でＮＯ判定）の間はステップＳ２６が繰り返えされて、この間、ステップＳ２０による浴水の熱回収用循環路での循環が継続される。
【００５９】
即ち、低温湯温度は、浴水温度より所定温度α以上低いことから、熱回収用熱交換器５０によって浴水から低温湯に熱が伝達され、給湯水が加熱されることになる。そして、ステップＳ２１で、低温湯温度＋αが浴水温度以上になると、熱回収用熱交換器５０での熱伝達が不能となるため、ステップＳ２２に移行して、風呂ポンプ４３を停止させ、切替バルブ５３を操作して加熱用行き流路４１側を開き、風呂熱回収のランプ６３を消灯して当フローチャートの作動を終了する。
【００６０】
次に、本実施形態の特徴と、その効果について述べる。まず、本実施形態では、ユーザーが操作盤６１に対して風呂熱回収運転を行わせるための実行信号を入力可能とする入力部として風呂自動スイッチ６２を設けている。制御装置６０は、ユーザーによって風呂自動スイッチ６２で実行信号が入力されると、風呂保温運転を終了した後、風呂熱回収運転を実行するようにしている。
【００６１】
これにより、ユーザーによって風呂自動スイッチ６２にて風呂熱回収運転を実行するための実行信号が入力されることで、ユーザーの意思を反映した風呂熱回収運転が可能となる。また、風呂保温運転終了後に風呂熱回収運転を実行するようにしているので、浴槽３０内の浴槽温水の温度が無駄に低下してしまうことを防止して、有効な熱回収が可能となる。
【００６２】
また、制御装置６０は、計時手段としてのステップＳ１９を備えると共に、風呂保温運転が終了した後で予め定められた所定時間をステップＳ１９によって計時した後で、風呂熱回収運転を実行するようにしている。これにより、例えば、誤ってユーザーが風呂保温運転を解除してしまっても、保温運転の終了から所定時間の間は、風呂熱回収運転が実行されないので、ユーザーが風呂保温運転の使用中に、浴槽温水の温度が風呂熱回収運転によって低下してしまうことを防止できる。
【００６３】
また、ユーザーに対して、制御装置６０が実行する風呂熱回収運転に関連する表示を行うランプ６３を備えるようにしている。これにより、ユーザーは、風呂熱回収運転状態にあることを明確に認識することができる。また、ランプ６３が、風呂熱回収のスタンバイ状態と運転状態とで表示方法を変化させるようにしている。これにより、風呂熱回収スイッチ６４のＯＮ状態（スタンバイ状態）と、実際に風呂熱回収運転を行っている状態との表示が異なり、風呂熱回収を操作していることがユーザーに認識できるため、風呂熱回収の誤操作を防止することができる。
【００６４】
また、制御装置６０には、温調湯を浴槽３０内に貯める湯張り運転と風呂熱回収運転とを連続的に作動させるための風呂自動スイッチ６２が設けられている。これにより、ユーザーの意思を反映した風呂熱回収運転が可能となる。また、風呂熱回収運転の実行信号を入力する風呂熱回収スイッチ６４を設け、風呂自動スイッチ６２がＯＮ状態の時に風呂熱回収スイッチ６４をＯＦＦすると、風呂熱回収運転を行わずに湯張り運転のみが実行され、湯張り運転がＯＦＦ状態の場合に風呂熱回収スイッチ６４をＯＮすると、風呂熱回収運転が実行されることを特徴としている。
【００６５】
このように、さらに風呂熱回収スイッチ６４が設けてあることで、風呂自動スイッチ６２を操作した後で、風呂熱回収を行わない場合は、風呂熱回収スイッチ６４を操作することで風呂熱回収のみキャンセルすることができる。さらに風呂熱回収のみを動作させたい場合には、風呂熱回収スイッチ６４を操作すると風呂熱回収が動作するため、毎回風呂熱回収を行うユーザーにとっては、操作を簡略することができ、さらに使い勝手が向上する。
そして、低温湯と浴水との温度差を確認して（ステップＳ２１）風呂熱回収運転を終了するようにしているので、確実な熱回収を行うことができる。また、蓄熱タンク１０の中間部から貯湯を取り出すようにしてあるため、風呂熱回収で蓄熱タンク１０の下部に蓄熱された中低温（４５℃以下）の湯を優先的に使用できる。このため、蓄熱タンク１０上方部の高温湯の使用量を減らすことができる。さらに、残湯によるヒートポンプの二度沸かしによる効率低下も防ぐことができる。
【００６６】
（第２実施形態）
次に、本発明の第２実施形態について図３および図４を用いて説明する。図３は、本発明の第２実施形態におけるヒートポンプ式給湯装置１００Ｂの概略構成を示す模式図であり、図４は、図３中の制御装置６０が実行する制御処理を示すフローチャートである。なお、以降の各実施形態においては、上述した第１実施形態と同一の構成要素には同一の符号を付して説明を省略し、異なる構成および特徴について説明する。
【００６７】
本実施形態は、上述した第１実施形態に対して、バイパス通路５４および切替バルブ（本発明でいう切替手段）５５を追加した給湯装置１００Ｂとしており、さらに風呂熱回収運転時の制御要領を変更したものとしている。バイパス通路５４は、加熱用行き流路４１において、切替バルブ５３と風呂用サーミスタ７２との間から分岐して、加熱用戻り流路４２の途中部位（図３中のＣ点）に接続される通路としている。
【００６８】
即ち、切替バルブ５３によって熱回収用循環路が形成されたときに、浴槽３０内の浴水が熱回収用熱交換器５０をバイパスして流通可能となる通路となっている。そして、風呂用サーミスタ７２は、熱回収用循環路において、バイパス通路５４を含む浴槽３０側に配設されていることになる。また、切替バルブ５５は、上記バイパス通路５４の分岐点に設けられたバイパス用の切替手段である。
【００６９】
切替バルブ５５は、熱回収用熱交換器５０側となる加熱用行き流路４１（熱回収用行き流路５１）とバイパス通路５４との切り替えを行うようになっており、制御装置６０によってバルブ開度が制御されるようになっている。そして切替バルブ５５は、加熱用行き流路４１（熱回収行き流路５１）を開いて、バイパス通路５４を閉じる風呂熱回収モードと、加熱用行き流路４１を閉じて、バイパス通路５４を開く温度検出モードとを行うようになっている。
【００７０】
次に、風呂熱回収運転の制御内容について、図４のフローチャートを用いて詳細に説明する。なお、ステップＳ１９までは第１実施形態と同じであり、ステップＳ２３〜Ｓ２７の風呂熱回収の作動が異なるため、ステップＳ２３から説明する。ステップＳ２３では、切替バルブ５５を操作してバイパス通路５４側が開く温度検出モードとして、風呂ポンプ４３を作動させる。すると、浴槽３０内の浴水は、浴槽３０→加熱用行き流路４１→切替バルブ５５→バイパス通路５４→加熱用戻り流路４２（Ｃ→Ａ）→風呂用配管１６→浴槽３０を循環する。
【００７１】
そして、次のステップＳ２４では、タンク下部サーミスタ７１によって検出される蓄熱タンク１０下方部の低温湯温度と、風呂用サーミスタ７２によって検出される浴水温度とを比較して、浴水による熱回収が可能か否かを判定する。ここでは、安全を見て、低温湯温度＋βとして、浴水温度と比較するようにしている。
【００７２】
通常βは、サーミスタの公差分の２℃程度としている。ステップＳ２４で、低温湯温度＋βが浴水温度以下でＹＥＳ判定の場合は、ステップＳ２５へ進んで浴水からの熱回収を行い、低温湯温度＋βが浴水温度以上でＮＯ判定の場合は、後述のステップＳ２７へ飛んで風呂熱回収を終了させる。
【００７３】
ステップＳ２５では、まず切替バルブ５５を操作して加熱用行き流路４１（熱回収用行き流路５１）側を開くと共に、切替バルブ５３を操作して熱回収用行き流路５１側を開き風呂熱回収モードとする。これにより、浴槽３０内の浴水は、熱回収用循環路から熱回収用熱交換器５０を循環して風呂熱回収が行われる。そして、操作盤６１における風呂熱回収運転中の表示としてランプ６３を点滅させる。
【００７４】
次のステップＳ２６では、タンク下部サーミスタ７１による低温湯の温度＋αと、風呂用サーミスタ７２による浴水の温度との比較を行い、低温湯温度が浴水温度よりも所定温度α以上低いと判定（ステップＳ２６でＮＯ判定）すると、ステップＳ２６が繰り返えされ、この間、ステップＳ２５による浴水の熱回収用循環路での循環が継続される。即ち、熱回収用熱交換器５０によって浴水から低温湯に熱が伝達され、低温湯が加熱されることになる。
【００７５】
なお、蓄熱タンク１０下部の低温湯温度と浴水温度の温度差が小さくなると、熱回収用熱交換器５０の性能にて熱交換されなくなる。そのため、風呂ポンプ４３の消費電力を加味し一定値で風呂熱回収を停止した方が省エネとなる。今回αは、通常使用する熱回収用熱交換器５０に合わせて５℃程度としている。
【００７６】
そして、ステップＳ２６で、低温湯温度＋αが浴水温度以上になると、熱回収用熱交換器５０での熱伝達が不能となるため、ステップＳ２７に移行して、風呂ポンプ４３を停止させ、切替バルブ５３を操作して加熱用行き流路４１側を開き、風呂熱回収のランプ６３を消灯して当フローチャートの作動を終了する。
【００７７】
次に、本実施形態の特徴と、その効果について述べる。浴水が浴槽３０から熱回収用熱交換器５０を通り再び浴槽３０に戻るように循環する熱回収用循環路５１、５２において熱回収用熱交換器５０をバイパスするバイパス通路５４を備えている。また、熱回収用循環路５１（加熱用循環路４１）とバイパス通路５４との分岐点に配設されて、浴水の流れを熱回収用熱交換器５０側、あるいはバイパス通路５４側に切り替える切替バルブ５５を備えている。
【００７８】
また、熱回収用循環路５１（加熱用循環路４１）においてバイパス通路５４を含む浴槽３０側に配設されて浴水の温度を検出する風呂用サーミスタ７２を備えており、制御装置６０は、風呂用サーミスタ７２による浴水の温度検出をする際に、切替バルブ５５を操作して、浴水がバイパス通路５４側を流れるようにしている。
【００７９】
これにより、浴水を循環させる距離をバイパス通路５４によって短くすることができるので、短時間でかつ正確な浴槽温水の温度検出が可能となる。また、浴槽３０内の温水が、タンク下部温度よりも低い場合には、蓄熱タンク１０からの熱を無駄に浴槽３０へ流出することを事前に防止できるため、無駄な熱ロスが発生することがなくなる。
【００８０】
（第３実施形態）
次に、本発明の第３実施形態について説明する。図５は、本発明の第３実施形態におけるヒートポンプ式給湯装置１００Ｃの概略構成を示す模式図であり、図６は、図５中の制御装置６０が実行する制御処理を示すフローチャートである。上述した各実施形態と異なる特徴部分を説明する。上述した各実施形態は、加熱用熱交換器４０および熱回収用熱交換器５０を蓄熱タンク１０内に配設したものであったが、本実施形態は、加熱用と熱回収用とを兼ねる外熱交換器８０を、蓄熱タンク１０の外部に配設したものである。
【００８１】
外熱交換器８０は、給湯水通路８１に隣接して浴水通路８２が設けられており、その給湯水通路８１を流れる給湯水の流れ方向と浴水通路８２を流れる浴水の流れ方向とが対向するように構成されている。給湯水側の流路として、蓄熱タンク１０の最上部近傍には、蓄熱タンク１０内に貯えられた高温の湯を導出するための導出口１０ｆが設けられ、この導出口１０ｆには高温取出し管８３が接続されている。
【００８２】
また、蓄熱タンク１０の最下部近傍には、蓄熱タンク１０内に貯えられた低温の給湯水を導出するための導出口１０ｇが設けられ、この導出口１０ｇには低温取出し管８４が接続されている。そして、高温取出し管８３と低温取出し管８４との下流側合流部位には、切替バルブ８５が設けられている。
【００８３】
この切替バルブ８５は、その下流側に設けられた外熱交換器８０の給湯水通路８１に流通させる給湯水を切り替える切替弁であり、風呂保温運転で浴水を加熱する場合には、高温取出し管８３側に切り替えて蓄熱タンク１０上部の高温の湯を流通させ、風呂熱回収運転で給湯水を加熱する場合には、低温取出し管８４側に切り替えて蓄熱タンク１０下部の低温の給湯水を流通させるようになっている。
【００８４】
そして、外熱交換器８０の給湯水通路８１を流通した高温もしくは低温の給湯水は、蓄熱タンク１０の下方部に設けられた導入口１０ｈから蓄熱タンク１０の内部に戻される。また、この給湯水の循環は、その循環路中に設けられた給湯水ポンプ８６で行われると共に、切替バルブ８５および給湯水ポンプ８６は、制御装置６０に電気的に接続されていて制御される。
【００８５】
また、浴水側の流路として、外熱交換器８０の浴水通路８２には、浴槽３０の吸入口３２（アダプタ）からの加熱用行き流路４１と熱回収用行き流路５１とを兼ねた流路が接続され、浴水通路８２から出る加熱用戻り流路４２と熱回収用戻り流路５２とを兼ねた流路は、風呂用配管１６の途中部位（図５中のＡ点）に接続されて浴槽３０の吐出口３１に繋がっている。なお、この浴水の循環は、その循環路中に設けられた風呂ポンプ４３で行われ、風呂ポンプ４３は、制御装置６０に電気的に接続されていて制御されるのは、上述した各実施形態と同様である。
【００８６】
次に、風呂熱回収運転の制御内容について、図６のフローチャートを用いて詳細に説明する。なお、ステップＳ１９までは上述した各実施形態と同じであり、ステップＳ２８〜Ｓ３０の風呂熱回収の作動が異なるため、ステップＳ２８から説明する。ステップＳ２８では、切替バルブ８５を操作して低温取出し管８４側を開くと共に、給湯水ポンプ８６と風呂ポンプ４３とを作動させる。
【００８７】
すると、給湯水側は、蓄熱タンク１０内下方の低温の給湯水が、導出口１０ｇ→低温取出し管８４→切替バルブ８５→外熱交換器８０の給湯水通路８１→給湯水ポンプ８６→導入口１０ｈと循環する。また、浴水側は、浴槽３０→熱回収用行き流路５１→風呂ポンプ４３→外熱交換器８０の浴水通路８２→熱回収用戻り流路５２→風呂用配管１６→浴槽３０を循環する。これにより、蓄熱タンク１０内下方の低温の給湯水が、浴槽３０内の浴水で加熱されて風呂熱回収が行われる。そして、操作盤６１における風呂熱回収運転中の表示としてランプ６３を点滅させる。
【００８８】
次のステップＳ２９では、タンク下部サーミスタ７１による低温湯の温度＋αと、風呂用サーミスタ７２による浴水の温度との比較を行い、低温湯温度が浴水温度よりも所定温度α以上低いと判定（ステップＳ２９でＮＯ判定）すると、ステップＳ２９が繰り返えされ、この間、ステップＳ２８による外熱交換器８０での風呂熱回収が継続される。
【００８９】
そして、ステップＳ２９で、低温湯温度＋αが浴水温度以上になると、外熱交換器８０での熱交換が不能となるため、ステップＳ３０に移行して、給湯水ポンプ８６と風呂ポンプ４３とを停止させ、切替バルブ８５を操作して高温取出し管８３側に戻し、風呂熱回収のランプ６３を消灯して当フローチャートの作動を終了する。以上のように、加熱用と熱回収用とを兼ねる外熱交換器８０を蓄熱タンク１０の外部に配設して、浴槽３０の残湯からの熱回収を行うようにしても良い。
【００９０】
（他の実施形態）
上述した各実施形態では、給湯水の加熱手段としてヒートポンプユニット２０を用いたものとして説明したが、これに限らず、電気式のヒータなどに置き換えたものとして良い。
【図面の簡単な説明】
【００９１】
【図１】本発明の第１実施形態におけるヒートポンプ式給湯装置１００Ａの概略構成を示す模式図である。
【図２】図１中の制御装置６０が実行する制御処理を示すフローチャートである。
【図３】本発明の第２実施形態におけるヒートポンプ式給湯装置１００Ｂの概略構成を示す模式図である。
【図４】図３中の制御装置６０が実行する制御処理を示すフローチャートである。
【図５】本発明の第３実施形態におけるヒートポンプ式給湯装置１００Ｃの概略構成を示す模式図である。
【図６】図５中の制御装置６０が実行する制御処理を示すフローチャートである。
【符号の説明】
【００９２】
１０…蓄熱タンク
２０…ヒートポンプユニット（加熱手段）
３０…浴槽
４０…加熱用熱交換器
５０…熱回収用熱交換器
５１…熱回収用行き流路（熱回収用循環路）
５２…熱回収用戻り流路（熱回収用循環路）
５４…バイパス通路
５５…切替バルブ（切替手段）
６０…制御装置（制御手段）
６１…操作盤（制御手段）
６２…風呂自動スイッチ（入力部）
６３…ランプ（表示手段）
６４…風呂熱回収スイッチ
７１…タンク下部サーミスタ（タンク下部湯温検出手段）
７２…風呂用サーミスタ（浴槽温水検出手段）
８０…外熱交換器（加熱用熱交換器、熱回収用熱交換器）
１００Ａ、１００Ｂ、１００Ｃ…ヒートポンプ式給湯装置
【図１】
2010117054.tif 000003
【図２】
2010117054.tif 000004
【図３】
2010117054.tif 000005
【図４】
2010117054.tif 000006
【図５】
2010117054.tif 000007
【図６】
2010117054.tif 000008